【手続補正書】
【提出日】平成18年4月12日(2006.4.12)
【手続補正１】
【補正対象書類名】特許請求の範囲
【補正対象項目名】全文
【補正方法】変更
【補正の内容】
【特許請求の範囲】
【請求項１】
固形粒子状基質に化学結合されたベース・マクロ分子を含む多層マクロ分子であって、該ベース・マクロ分子が：
(a)  デンドリマーと
(b)  超分岐ポリマーと
から成る群から選択されており、そして、
該ベース・マクロ分子に、化学結合された1つ以上のマクロ分子追加層が載置されることにより、該ベース・マクロ分子上に1つ以上の化学結合された層が形成されており、該層状マクロ分子が：
(a)  デンドリマーと
(b)  超分岐ポリマーと
から成る群から選択されている
ことを特徴とする、多層マクロ分子。
【請求項２】
該ベース・マクロ分子がデンドリマーから選択され、そして該マクロ分子追加層がデンドリマーから選択されている、請求項1に記載の多層マクロ分子。
【請求項３】
該ベース・マクロ分子がデンドリマーから選択され、そして該マクロ分子追加層が超分岐ポリマーから選択されている、請求項1に記載の多層マクロ分子。
【請求項４】
該ベース・マクロ分子が超分岐ポリマーから選択され、そして該マクロ分子追加層が超分岐ポリマーから選択されている、請求項1に記載の多層マクロ分子。
【請求項５】
該ベース・マクロ分子が超分岐ポリマーから選択され、そして該マクロ分子追加層がデンドリマーから選択されている、請求項1に記載の多層マクロ分子。
【請求項６】
該ベース・マクロ分子がデンドリマーから選択され、いずれの追加層も：
(a)  デンドリマーと
(b)  超分岐ポリマーと
から成る群から選択された層状マクロ分子のいずれかの組み合わせから選択されている、請求項1に記載の多層マクロ分子。
【請求項７】
該ベース・マクロ分子が超分岐ポリマーから選択され、いずれの追加層も：
(a)  デンドリマーと
(b)  超分岐ポリマーと
から成る群から選択された層状マクロ分子のいずれかの組み合わせから選択されている、請求項1に記載の多層マクロ分子。
【請求項８】
多層マクロ分子の製造方法であって、前記方法が：
(I)  シラン結合剤の第1ロットと反応することができる固形粒子状基質を準備し；
(II)  該固形粒子状基質をシラン結合剤の第1ロットと接触させ、そして該固形粒子状基質を、該シラン結合剤の第1ロットと反応させ；
(III)  工程(II)で形成された生成物を、
(a)  デンドリマーと
(b)  超分岐ポリマーと
から成る群から選択されたマクロ分子の第1ロットと接触させ、そして該マクロ分子と、該工程(II)からの生成物とを互いに反応させ；
(IV)  工程(III)からの生成物をシラン結合剤の第2ロットと接触させ、そして該シラン結合剤の第2ロットと、該工程(III)からの生成物とを互いに反応させ；
(V)  マクロ分子の第2ロットを準備し；
(VI)  該マクロ分子の第2ロットをシラン結合剤の第3ロットと接触させ、そして該シラン結合剤の第3ロットと、該マクロ分子の第2ロットとを反応させることにより、反応性生成物を形成し；
(VII)  工程(IV)からの生成物と工程(VI)からの生成物とを、水の存在において合わせ、そして該工程(IV)からの生成物と該工程(VI)からの生成物とを反応させることにより、多層マクロ分子を形成する
工程を含むことを特徴とする、多層マクロ分子の製造方法。
【請求項９】
該ベース・マクロ分子がデンドリマーから選択され、そして該マクロ分子追加層がデンドリマーから選択されている、請求項8に記載の方法。
【請求項１０】
該ベース・マクロ分子がデンドリマーから選択され、そして該マクロ分子追加層が超分岐ポリマーから選択されている、請求項8に記載の方法。
【請求項１１】
該ベース・マクロ分子が超分岐ポリマーから選択され、そして該マクロ分子追加層が超分岐ポリマーから選択されている、請求項8に記載の方法。
【請求項１２】
該ベース・マクロ分子が超分岐ポリマーから選択され、そして該マクロ分子追加層がデンドリマーから選択されている、請求項8に記載の方法。
【請求項１３】
該ベース・マクロ分子がデンドリマーから選択され、いずれの追加層も：
(a)  デンドリマーと
(b)  超分岐ポリマーと
から成る群から選択された層状マクロ分子のいずれかの組み合わせから選択されている、請求項8に記載の方法。
【請求項１４】
該ベース・マクロ分子が超分岐ポリマーから選択され、いずれの追加層も：
(a)  デンドリマーと
(b)  超分岐ポリマーと
から成る群から選択された層状マクロ分子のいずれかの組み合わせから選択されている、請求項8に記載の方法。
【請求項１５】
多層マクロ分子の製造方法であって、前記方法が：
(A)  (a)  デンドリマーと
(b)  超分岐ポリマーと
から成る群から選択されたマクロ分子の第1ロットを準備し；
(B)  該マクロ分子の第1ロットをシラン結合剤の第1ロットと接触させ、そして該シラン結合剤と該ベース・マクロ分子とを互いに反応させ；
(C)  工程(B)からの生成物を、該工程(B)からの生成物と反応することができる固形粒子状基質と接触させ；
(D)  (i)  先ず、水の不存在において工程(C)の成分を合わせ、そしてその後、該合わされた成分を水と接触させること、及び
(ii)  先ず、工程(C)の成分中の加水分解され得る基を加水分解するのに十分な水と、該工程(C)の成分を合わせ、そしてその後、該加水分解のための最初の水によって形成されたシラノールを架橋するために、追加の水を添加すること
から成る群から選択された条件の少なくとも一方を提供することにより、工程(C)からの生成物を該固形粒子状基質に結合させ；
(E)  結合後、工程(D)からの生成物をシラン結合剤の第2ロットと接触させ、そして該シラン結合剤の第2ロットを該工程(D)からの生成物と反応させ；
(F)  マクロ分子の第2ロットを準備し；
(G)  該マクロ分子の第2ロットをシラン結合剤の第3ロットと接触させ、そして該マクロ分子の第2ロットと該シラン結合剤の第3ロットとを互いに反応させ；
(H)  工程(E)の生成物と工程(G)の生成物とを水の存在において合わせることにより、多層マクロ分子を形成する
工程を含むことを特徴とする、多層マクロ分子の製造方法。
【請求項１６】
該ベース・マクロ分子がデンドリマーから選択され、そして該マクロ分子追加層がデンドリマーから選択されている、請求項15に記載の方法。
【請求項１７】
該ベース・マクロ分子がデンドリマーから選択され、そして該マクロ分子追加層が超分岐ポリマーから選択されている、請求項15に記載の方法。
【請求項１８】
該ベース・マクロ分子が超分岐ポリマーから選択され、そして該マクロ分子追加層が超分岐ポリマーから選択されている、請求項15に記載の方法。
【請求項１９】
該ベース・マクロ分子が超分岐ポリマーから選択され、そして該マクロ分子追加層がデンドリマーから選択されている、請求項15に記載の方法。
【請求項２０】
該ベース・マクロ分子がデンドリマーから選択され、いずれの追加層も：
(a)  デンドリマーと
(b)  超分岐ポリマーと
から成る群から選択された層状マクロ分子のいずれかの組み合わせから選択されている、請求項15に記載の方法。
【請求項２１】
該ベース・マクロ分子が超分岐ポリマーから選択され、いずれかの追加層も：
(a)  デンドリマーと
(b)  超分岐ポリマーと
から成る群から選択された層状マクロ分子の任意の組み合わせから選択されている、請求項15に記載の方法。
【請求項２２】
工程(V)〜(VII)がm回反復されることにより、m層の追加層を提供し、前記mは1〜5の範囲の値を有する、請求項8に記載の方法。
【請求項２３】
工程(F)〜(H)がm回反復されることにより、m層の追加層を提供し、前記mは1〜5の範囲の値を有する、請求項15に記載の方法。
【請求項２４】
該ベース・マクロ分子が
(i)  ポリエチレンイミン超分岐ポリマーと
(ii)  ポリアミドアミン・デンドリマーと
から成る群から選択されている、請求項1に記載の多層マクロ分子。
【請求項２５】
該固形粒子状基質が、
a.  鉱物粒子と；
b.  該マクロ分子に対して反応性のハロゲンを含有する有機樹脂粒子と；
c.  シラン結合剤と反応性の
i.  第1アミン基、
ii. 第2アミン基、及び
iii.第1アミン基と第2アミン基との混合物
から成る群から選択されたアミン基を含有する有機樹脂粒子と
から成る群から選択されている、請求項1に記載の多層マクロ分子。
【請求項２６】
該鉱物粒子がシリカである、請求項25に記載の多層マクロ分子。
【請求項２７】
該シリカがフュームド・シリカである、請求項26に記載の多層マクロ分子。
【請求項２８】
該シリカが沈降シリカである、請求項26に記載の多層マクロ分子。
【請求項２９】
該シリカが粉砕シリカである、請求項26に記載の多層マクロ分子。
【請求項３０】
該シラン結合剤が、1つ以上の加水分解され得る離脱基を含有するシランであり、該離脱基が、該シランと該固形粒子状基質との反応を可能にし、そしてまた該マクロ分子内に含有されるいずれかの反応性基と反応することができる反応性基をも含有している、請求項1に記載の多層マクロ分子。
【請求項３１】
該シラン結合剤離脱基が、アルコキシ基内炭素原子数が1〜6であるアルコキシ基である、請求項30に記載の多層マクロ分子。
【請求項３２】
該シラン結合剤が下記一般式：
【化１】
2005523350.tif 000001
又は
【化２】
2005523350.tif 000002
を有する有機ケイ素化合物であり、前記式中、Gは基
【化３】
2005523350.tif 000003
、O=C=N、Cl2、エポキシ及びビニルから選択されており、WはClCH2-フェニル-から選択されており、xは1〜6の値を有し、yは1, 2又は3の値を有し、Rは炭素原子数1〜6のアルキル基、及びフェニル基である、請求項30に記載の多層マクロ分子。
【請求項３３】
該シラン結合剤が、下記一般式：
【化４】
2005523350.tif 000004
を有するシランから選択されている、請求項32に記載の多層マクロ分子。
【請求項３４】
該シラン結合剤が、下記一般式：
【化５】
2005523350.tif 000005
を有するシランから選択されている、請求項32に記載の多層マクロ分子。
【請求項３５】
該シラン結合剤が、下記一般式：
【化６】
2005523350.tif 000006
を有するシランから選択されている、請求項33に記載の多層マクロ分子。
【請求項３６】
該シラン結合剤が
【化７】
2005523350.tif 000007
である、請求項35に記載の多層マクロ分子。
【請求項３７】
該シラン結合剤が
【化８】
2005523350.tif 000008
である、請求項33に記載の多層マクロ分子。
【請求項３８】
該シラン結合剤が
【化９】
2005523350.tif 000009
である、請求項37に記載の多層マクロ分子。
【請求項３９】
請求項8に記載の方法によって製造されたときの多層マクロ分子。
【請求項４０】
請求項15に記載の方法によって製造されたときの多層マクロ分子。
【請求項４１】
分析方法であって、該方法が、所期分析材料に付随する材料から該所期分析材料を分離するために、請求項1に記載の多層マクロ分子を用いることを含むことを特徴とする、分析方法。
【請求項４２】
液体クロマトグラフィである請求項41に記載の方法であって、該方法が、該液体クロマトグラフィ法で採用されるカラム内の充填剤として、請求項1に記載の多層マクロ分子を用いることを含む、請求項41に記載の方法。
【請求項４３】
プロセス流精製方法であって、該方法が、請求項1に記載の多層マクロ分子を使用して、プロセス流流出物を処理することを含むことを特徴とする、プロセス流精製方法。
【請求項４４】
該プロセス流から金属イオンが除去される、請求項43に記載のプロセス流精製方法。
【請求項４５】
該プロセス流から酸が除去される、請求項43に記載のプロセス流精製方法。
【請求項４６】
廃棄流清浄化方法であって、該方法が、請求項1に記載の多層マクロ分子を使用して、廃棄流を処理することを含むことを特徴とする、廃棄流清浄化方法。
【請求項４７】
該廃棄流から金属イオンが除去される、請求項46に記載の廃棄流清浄化方法。
【請求項４８】
該廃棄流から酸が除去される、請求項46に記載の廃棄流清浄化方法。
【請求項４９】
資源回収方法であって、該方法が、前記回収可能な資源を含有する流体を、請求項1に記載の多層マクロ分子で処理し、そしてその後、該流体と該多層マクロ分子とを分離し、そしてその後、該多層マクロ分子から該回収可能な資源を回収することを含むことを特徴とする、資源回収方法。
【請求項５０】
該流体が溶剤であり、そして該回収可能な資源が金属である、請求項49に記載の方法。
【請求項５１】
該流体が溶剤であり、そして該回収可能な資源が酸である、請求項49に記載の方法。
【請求項５２】
該流体が水であり、そして該回収可能な資源が：
i. 銀、ii. 金、iii. カドミウム、iv. クロム、v. 銅、 vi ハフニウム、vii. イリジウム、viii. マンガン、ix. モリブデン、x. ニオブ、xi. オスミウム、xii. パラジウム、xiii. 白金、xiv. レニウム、xv. ロジウム、 xvi. ルテニウム、xvii. タンタル、xviii. テクネチウム、xix. チタン、xx. タングステン、xxi. 亜鉛、xxii. ジルコニウムから選択された遷移金属、及び、a. バリウム、b. ビスマス、c. セリウム、 d. 鉛、e. アンチモン、f. 錫、g. タリウム、h. ウラン、及びj. プルトニウムから成る群から選択された重金属
から成る群から選択された金属のいずれか、又は該金属のいずれかの組み合わせである、請求項49に記載の方法。
【請求項５３】
個人用ケア製品であって、請求項1に記載の多層マクロ分子を含有することを特徴とする、個人用ケア製品。
【請求項５４】
流体から有機酸を除去する方法であって、該方法が該流体を、請求項1に記載の多層マクロ分子で処理することを含むことを特徴とする、流体から有機酸を除去する方法。
【請求項５５】
該酸がp-アミノ安息香酸である、請求項54に記載の方法。
【請求項５６】
該酸がカルボン酸である、請求項54に記載の方法。
【請求項５７】
該酸がサリチル酸である、請求項54に記載の方法。
【請求項５８】
該酸がアセトサリチル酸である、請求項54に記載の方法。
【請求項５９】
アニオン交換樹脂であって、請求項1に記載の多層マクロ分子を用いて製造されることを特徴とする、アニオン交換樹脂。
【請求項６０】
タンパク質分離方法であって、該方法が、該タンパク質に付随する材料から該タンパク質を分離するための媒質として、請求項1に記載の多層マクロ分子を用いることを含むことを特徴とする、タンパク質分離方法。
【請求項６１】
該タンパク質に付随する材料もタンパク質である、請求項60に記載のタンパク質分離分析方法。
【請求項６２】
ペプチド分離分析方法であって、該方法が、該ペプチドに付随する材料に優先して前記ペプチドを吸着するために、請求項1に記載の多層マクロ分子を用いることを含むことを特徴とする、ペプチド質分離方法。
【請求項６３】
他の付随ペプチドから或る特定のペプチドを選択的に吸着又は分離するために、請求項1に記載の多層マクロ分子が用いられる、請求項62に記載の分析方法。
【請求項６４】
付随材料からオリゴヌクレオチドを分離する方法であって、該方法が、前記オリゴヌクレオチドを吸着するために、請求項1に記載の多層マクロ分子を用いることを含むことを特徴とする、付随材料からオリゴヌクレオチドを分離する方法。
【請求項６５】
付随オリゴヌクレオチドからオリゴヌクレオチドを分離する方法であって、該方法が、他の付随オリゴヌクレオチドから或る特定のオリゴヌクレオチドを選択的に吸着及び分離するために、請求項1に記載の多層マクロ分子を用いることを含むことを特徴とする、付随オリゴヌクレオチドからオリゴヌクレオチドを分離する方法。
【請求項６６】
アニオン性材料の濃縮方法であって、該方法が、該アニオン性材料を請求項1に記載の多層マクロ分子と接触させることを含むことを特徴とする、アニオン性材料の濃縮方法。
【請求項６７】
濃縮されるべきアニオン性材料が、
i. モルブデン酸塩、ii. ヒ酸塩、iii. リン酸塩、iv. 重クロム酸塩、v. タングステン酸塩、vi. ジルコン酸塩、vii. チタン酸塩、viii. セリウム酸塩、ix. バナジウム酸塩、x. 錯アニオン性材料、及びxi. i〜xiのいずれかの組み合わせ
から成る群から選択されている、請求項66に記載のアニオン性材料の濃縮方法。
【請求項６８】
多層マクロ分子の製造方法であって、前記方法が：
(I)  シラン結合剤の第1ロットと反応することができる固形粒子状基質を準備し；
(II)  該固形粒子状基質をシラン結合剤の第1ロットと接触させ、そして該固形粒子状基質を、該シラン結合剤の第1ロットと反応させ；
(III)  工程(II)で形成された生成物を、
(a)  デンドリマーと
(b)  超分岐ポリマーと
から成る群から選択されたマクロ分子の第1ロットと接触させ、そして該マクロ分子と、該工程(II)からの生成物とを互いに反応させ；
(IV)  シラン結合剤の第2ロットを準備し、そして工程(III)からの生成物と該シラン結合剤の第2ロットとを互いに反応させ；
(V)  (a)  デンドリマーと
(b)  超分岐ポリマーと
から成る群から選択されたマクロ分子の第2ロットと、シラン結合剤の第3ロットとを準備し、そして、該マクロ分子の第2ロットと該シラン結合剤の第3ロットとを互いに反応させ、
(VI)  工程(IV)からの生成物と工程(V)からの生成物とを同時加水分解することにより、多層マクロ分子を形成する
工程を含むことを特徴とする、多層マクロ分子の製造方法。
【請求項６９】
多層マクロ分子の製造方法であって、前記方法が：
(I)  シラン結合剤の第1ロットと反応することができる固形粒子状基質を準備し；
(II)  該固形粒子状基質をシラン結合剤の第1ロットと接触させ、そして該固形粒子状基質を、該シラン結合剤の第1ロットと反応させ；
(III)  工程(II)で形成された生成物を、
(a)  デンドリマーと
(b)  超分岐ポリマーと
から成る群から選択されたマクロ分子の第1ロットと接触させ、そして該マクロ分子と、該工程(II)からの生成物とを互いに反応させ；
(IV)  シラン結合剤の第2ロットと、
(a)  デンドリマーと
(b)  超分岐ポリマーと
から成る群から選択されたマクロ分子の第2ロットとを準備し、そして
該マクロ分子の第2ロットと該シラン結合剤の第2ロットとを互いに反応させ；
(V)  シラン結合剤の第3ロットを準備し、そして、該シラン結合剤の第3ロットと(IV)からの生成物とを互いに反応させ、そしてその後、
(VI)  工程(III)からの生成物と工程(V)からの生成物とを互いに接触させ、そして該工程(III)からの生成物と該工程(V)からの生成物とを互いに反応させることにより、多層マクロ分子を形成する
工程を含むことを特徴とする、多層マクロ分子の製造方法。
【請求項７０】
多層マクロ分子の製造方法であって、前記方法が：
(I)  (a)  デンドリマーと
(b)  超分岐ポリマーと
から成る群から選択された第1マクロ分子を準備し；
(II)  第1シラン結合剤を準備し、そして該第1マクロ分子と第1シラン結合剤とを互いに反応させ；
(III)  (a)  デンドリマーと
(b)  超分岐ポリマーと
から成る群から選択された第2マクロ分子を準備し；
(IV)  第2シラン結合剤を準備し、そして該第2マクロ分子と第2シラン結合剤とを互いに反応させ；
(V)  (II)からの生成物と(IV)からの生成物とを互いにそして水と合わせることにより、該生成物を同時加水分解し；
(VI)  (V)からの生成物を第4シラン結合剤及び固形粒子状基質と接触させ、そして該生成物を反応させることにより、固形粒子状基質に結合された多層マクロ分子を形成する
工程を含むことを特徴とする、多層マクロ分子の製造方法。
【請求項７１】
該ベース・マクロ分子がデンドリマーから選択され、そして該マクロ分子追加層がデンドリマーから選択されている、請求項70に記載の方法。
【請求項７２】
該ベース・マクロ分子がデンドリマーから選択され、そして該マクロ分子追加層が超分岐ポリマーから選択されている、請求項70に記載の方法。
【請求項７３】
該ベース・マクロ分子が超分岐ポリマーから選択され、そして該マクロ分子追加層が超分岐ポリマーから選択されている、請求項70に記載の方法。
【請求項７４】
該ベース・マクロ分子が超分岐ポリマーから選択され、そして該マクロ分子追加層がデンドリマーから選択されている、請求項70に記載の方法。
【請求項７５】
該ベース・マクロ分子がデンドリマーから選択され、いずれの追加層も：
(a)  デンドリマーと
(b)  超分岐ポリマーと
から成る群から選択された層状マクロ分子のいずれかの組み合わせから選択されている、請求項70に記載の方法。
【請求項７６】
該ベース・マクロ分子が超分岐ポリマーから選択され、いずれの追加層も：
(a)  デンドリマーと
(b)  超分岐ポリマーと
から成る群から選択された層状マクロ分子のいずれかの組み合わせから選択されている、請求項70に記載の方法。